(57)【特許請求の範囲】
【請求項１】
裏面側に複数本の脚が設けられた床材本体を、ベランダやバルコニー、屋上等の床面に複数枚敷きつめて床を構成する床化粧材において、
前記床材本体の裏面には、脚と脚との間のうち少なくとも二箇所に、Ｌ字状の２本の係止片が対向配置されて通し部材を嵌め込み可能に形成されており、
前記通し部材は、長尺部材であって、金属製あるいは樹脂製のパイプ、中空あるいは中実の棒状部材、または板状部材であって、
脚と脚との間に通される前記通し部材を、床材本体の裏面側から前記係止片に嵌め込むことによって複数枚の床材本体を一体化させることを可能にするとともに、
前記通し部材には、床材本体に対する通し部材の軸方向の位置を固定または軸方向の動きを規制する手段が設けられており、前記係止片に嵌め込まれた通し部材が床材本体から外れるのを防止しうることを特徴とする床化粧材。
【請求項２】
裏面側に複数本の脚が設けられた床材本体を、ベランダやバルコニー、屋上等の床面に複数枚敷きつめて床を構成する床化粧材において、
前記床材本体の裏面には、脚と脚との間のうち少なくとも二箇所に連結板が一体成形され、前記連結板には通し部材を差し込むことが可能な孔が設けられており、
前記通し部材は、長尺部材であって、金属製あるいは樹脂製のパイプ、中空あるいは中実の棒状部材、または板状部材であって、
脚と脚との間に通される前記通し部材を、前記連結板の孔に通すことによって複数枚の床材本体を一体化させることを可能にするとともに、
前記通し部材には、床材本体に対する通し部材の軸方向の位置を固定または軸方向の動きを規制する手段が設けられており、前記連結板に通された通し部材が床材本体から外れるのを防止しうることを特徴とする床化粧材。
【請求項３】
裏面側に複数本の脚が設けられた床材本体を、ベランダやバルコニー、屋上等の床面に複数枚敷きつめて床を構成する床化粧材において、
前記床材本体の裏面には、脚と脚との間のうち少なくとも二箇所に連結部材が一体成形され、前記連結部材は、下方向または横方向に開口をもつリング状の嵌め込み部を備えて、この嵌め込み部に通し部材を嵌め込むことが可能となされており、
前記通し部材は、長尺部材であって、金属製あるいは樹脂製のパイプ、中空あるいは中実の棒状部材、または板状部材であって、
脚と脚との間に通される前記通し部材を、床材本体の裏面側から前記連結部材の嵌め込み部に嵌め込むことによって複数枚の床材本体を一体化させることを可能にするとともに、
前記通し部材には、床材本体に対する通し部材の軸方向の位置を固定または軸方向の動きを規制する手段が設けられており、前記連結部材に嵌め込まれた通し部材が床材本体から外れるのを防止しうることを特徴とする床化粧材。
【請求項４】
裏面側に複数本の脚が設けられた床材本体を、ベランダやバルコニー、屋上等の床面に複数枚敷きつめて床を構成する床化粧材において、
前記床材本体には、通し部材を嵌め込むことが可能な嵌め込み部を備えて床材本体とは別体の連結部材が、前記床材本体の少なくとも二箇所に、その嵌め込み部が裏面側の脚と脚との間に位置するように取り付けられ、
前記通し部材は、長尺部材であって、金属製あるいは樹脂製のパイプ、中空あるいは中実の棒状部材、または板状部材であり、
脚と脚の間に通される前記通し部材を、床材本体の裏面側から前記連結部材の嵌め込み部に嵌め込むことによって複数枚の床材本体を一体化させることを可能にするとともに、
前記通し部材には、床材本体に対する通し部材の軸方向の位置を固定または軸方向の動きを規制する手段が設けられており、前記連結部材に嵌め込まれた通し部材が床材本体から外れるのを防止しうることを特徴とする床化粧材。
【請求項５】
前記通し部材には数本の脚に対して引っ掛かるコ字形の屈曲部が設けられて、床材本体の裏面側で、床材本体に対する通し部材の軸方向の位置が固定されることを特徴とする請求項１〜４のいずれかに記載の床化粧材。
【請求項６】
前記通し部材の一端は略直角に折り曲げられてL字部となされ、このL字部を脚と脚との間に差し込むことにより、床材本体の裏面側で、床材本体に対する通し部材の軸方向の位置が固定されることを特徴とする請求項１〜５のいずれかに記載の床化粧材。
【請求項７】
前記通し部材の外周面にはスリット溝が設けられ、このスリット溝に嵌り込むリング部を有するクリップを通し部材に取り付けることにより、このクリップが脚に当たって、床材本体の裏面側で、床材本体に対する通し部材の軸方向の位置が固定されることを特徴とする請求項１〜６のいずれかに記載の床化粧材。
【請求項８】
前記通し部材にはピン孔が設けられており、このピン孔にクリップを差し込むことにより、このクリップが脚に当たって、床材本体の裏面側で、床材本体に対する通し部材の軸方向の動きが規制されることを特徴とする請求項１〜７のいずれかに記載の床化粧材。
【請求項９】
床化粧材を床面に敷設して床を構成するにあたり、請求項１〜８のいずれかに記載の床化粧材が、構成される床の少なくとも一部分に配置され、それら床化粧材の所定数が、床材本体の裏面側の通し部材によって連結されているとともに、その通し部材が、前記床が敷設される付近に位置する支柱にワイヤーを介して固定されていることを特徴とする床化粧材の敷設構造。
【発明の詳細な説明】
【０００１】
【発明の属する技術分野】
本発明は、バルコニーやベランダ、あるいはテラス等の床上に敷設する床化粧材及びその敷設構造に関する。
【０００２】
【従来の技術】
バルコニーやベランダ等に対する床材（デッキ材）の敷設構造としては、従来、例えば実公昭５６−５１５６３号等に見られるように、係止溝を備えた固定基板を根太上に複数個ねじ止めするとともに、バルコニー等の寸法に合わせて切断された長尺のデッキ材の裏面側の突条を各固定基板の係止溝に圧入嵌合するなどの構造が採られていた。
【０００３】
これに対し、近年、コンクリート等によって構成されたバルコニーやベランダの床面を覆う床材として、硬質合成樹脂を矩形状に成形した部材で、裏面側に被敷設面との間に排水空間を形成するための複数本の脚が一体形成されてなる床材本体（樹脂マット）の上面に、木質またはタイル等の表面材を係止固定または接着固定した構造のユニット式床化粧材、あるいは樹脂製床材本体と樹脂表面材とが一体成形された構造のユニット式床化粧材が実用化されている。
【０００４】
このようなユニット式床化粧材は、バルコニーやベランダ等の屋外に敷設した場合、床化粧材の下面側に風が吹き込んだときに床化粧材の全体が捲れ上がることがあり、これを解消するものとして、例えば特開平７−１０１９１号公報には、タイルユニット（床化粧材）を敷設して床を構成する際に、その床の周囲の少なくとも一部に、透水性開口を有する樹脂製フロアマットを敷設して風の影響を軽減する、タイルユニットの敷設構造が提案されている。
【０００５】
【発明が解決しようとする課題】
ところで、上記した公報に記載の敷設構造は、立ち上がり壁で囲われたバルコニー等に、表面材がタイル等の比較的重たい床化粧材を敷設する場合に、ある程度の効果は期待できるが、図４８に示すような手すり付きのバルコニーＶに、表面材が樹脂製の軽量の床化粧材Ｆを敷設した場合、バルコニー端部の手すりＨを通り抜けた風が、床化粧材Ｆの下面側に入り込んで床化粧材の全体が捲れ上がり吹き飛んでしまう虞れがある。
【０００６】
また、このような問題は、風速５０ｍ／ｓ級以上の台風あるいは瞬間風速が大きな突風が吹いた場合や、低いパラペットのついた屋上あるいは屋上等の広い面積の下地上に床化粧材を部分的に敷設する場合にも起こる可能性がある。
【０００７】
本発明はそのような実情に鑑みてなされたもので、バルコニーやベランダ等に敷設した際に、風による捲れ上がりを防ぐことが可能な構造の床化粧材と、その床化粧材の敷設構造の提供を目的とする。
【０００８】
【課題を解決するための手段】
上記の目的を達成するため、本発明の床化粧材は、ベランダやバルコニー、屋上等の床面に敷きつめて床を構成する部材で、裏面側に複数本の脚が設けられた床化粧材において、図１〜図３に示すように、脚１ａと脚１ａとの間に通される通し部材６（図６参照）を、床化粧材Ｆ1 に係止するための係止片５が少なくとも１箇所に設けられていることによって特徴づけられる。
【０００９】
また、本発明の敷設構造は、図４及び図５に例示するように、バルコニー等に構築する床の少なくとも一部分（例えば床の端の部分）に、上記した係止片５が設けられた床化粧材Ｆ1 ・・Ｆ1 を配置し、それら床化粧材Ｆ1 ・・Ｆ1 の所定数を、連結片５を設けた部分の脚１ａと脚１ａとの間に通した通し部材（例えば鉄パイプ）６によって連結するとともに、その通し部材６を、床の敷設付近に位置する構造物（例えば手すりの支柱Ｐ）に接続部材（例えばワイヤーＷ）を介して接続することによって特徴づけられる。
【００１０】
このように、床の端の部分などに配置する床化粧材Ｆ1 ・・Ｆ1 を通し部材６によって連結して一体化し、さらにその通し部材６を手すりの支柱Ｐ等に固定することで、バルコニー端部の手すりを通り抜けた風などが、床化粧材Ｆ1 の下面側に入り込んでも、床化粧材Ｆ1 が捲れ上がることを防止できる。
【００１１】
また、本発明の床化粧材は、ベランダやバルコニー、屋上等の床面に敷きつめて床を構成する部材で、裏面側に複数本の脚が設けられた床化粧材において、図１６に例示するように、脚１ａと脚１ａとの間に通される通し部材６（図６参照）を差し込むことが可能な孔１０５ａを有する連結板１０５が、少なくとも１箇所に設けられていることによって特徴づけられる。
【００１２】
また、本発明の敷設構造は、先の図４に示した構造と同様に、バルコニー等に構築する床の少なくとも一部分（例えば床の端の部分）に、上記した連結板１０５が設けられた床化粧材Ｆ2 ・・Ｆ2 を配置し、それら床化粧材Ｆ2 ・・Ｆ2 の所定数を、連結板１０５の孔１０５ａに差し込んだ通し部材（例えば鉄パイプ）６によって連結するとともに、その通し部材６を、床の敷設付近に位置する構造物（例えば手すりの支柱Ｐ）に接続部材（例えばワイヤーＷ）を介して接続して、強風による床化粧材の捲れ上がりを防止するところに特徴がある。
【００１３】
また、本発明の床化粧材は、ベランダやバルコニー、屋上等の床面に敷きつめて床を構成する部材で、裏面側に複数本の脚が設けられた床化粧材において、図１９に例示するように、脚１ａと脚１ａとの間に通される通し部材６（図６参照）を嵌め込むことが可能な連結部材２０５が、少なくとも１箇所に設けられていることによって特徴づけられ、また、本発明の床化粧材は、図２１〜図２４に例示するように、脚１１ａと脚１１ａとの間に通される通し部材６を嵌め込むことが可能な部材で、床化粧材Ｆ4 とは別体の連結部材３０５が、床化粧材Ｆ4 の少なくとも１箇所に、その嵌め込み部３０５ａが裏面側の脚１ａと脚１ａとの間に位置するように取り付けられていることによって特徴づけられる。
【００１４】
請求項７に記載の発明の敷設構造は、先の図４または図２５に示すように、バルコニー等に構築する床の少なくとも一部分（例えば床の端の部分）に、上記した連結部材２０５，３０５が設けられた床化粧材Ｆ3 ・・Ｆ3 ，Ｆ4 ・・Ｆ4 を配置し、それら床化粧材Ｆ3 ・・Ｆ3 ，Ｆ4 ・・Ｆ4 の所定数を、連結部材２０５，３０５に嵌め込んだ通し部材６（例えば鉄パイプ）によって連結するとともに、その通し部材６を、床の敷設付近に位置する構造物（例えば手すりの支柱Ｐ）に接続部材（例えばワイヤーＷ）を介して接続して、強風による床化粧材の捲れ上がりを防止するところに特徴がある。
【００１５】
ここで、本発明で言う通し部材とは、金属や樹脂製のパイプまたは棒材等の中空・中実の棒状部材、板状の部材またはひも状の部材、あるいはワイヤーなどの長尺部材のことを指す。
【００１６】
【発明の実施の形態】
本発明の実施の形態を、以下、図面に基づいて説明する。
【００１７】
図１は本発明の床化粧材の実施の形態を示す平面図、図２はその実施の形態の側面図（Ａ）及び底面図（Ｂ）である。
【００１８】
図１及び図２に示す床化粧材Ｆ1 は、硬質合成樹脂を簀の子状に成形した正方形状（３０ｃｍ角）の床材本体１と、その裏面側に一体形成された複数本の脚１ａ・・１ａによって構成されている。
【００１９】
床材本体１には、互いに隣合う２辺の端縁部にそれぞれ連結孔３ａを有する複数個の雌連結部３・・３が一定のピッチで設けられている。その各対辺側には雄連結部４・・４が、それぞれ雌連結部３・・３に対応する位置関係で設けられており、これら雄・雌連結部を利用して複数のユニット（床化粧材）を相互に連結することができる。
【００２０】
さて、この実施の形態では、床材本体１の裏面側の４隅にそれぞれ係止片５・・５を一体成形したところに特徴がある。
【００２１】
係止片５は、図３に示すように、互いに隣合う脚１ａと１ａの下端部間に橋渡しされた部材で、この係止片５、脚１ａ及び床材本体１の裏面との間に形成される空間内に、後述する鉄パイプ（φ８ｍｍ〜φ１０ｍｍ程度）６を通すことができる。
【００２２】
次に、以上の床化粧材Ｆ1 を用いた敷設構造を、以下、図４及び図５を参照しつつ説明する。
【００２３】
まず、図１及び図２に示す床化粧材Ｆ1 （係止片付）と、その床化粧材Ｆ1 と同様な構造で係止片のない床化粧材Ｆをそれぞれ所要数づつ用意し、その係止片のない床化粧材Ｆを、バルコニー等の下地床面上に配列して、互いに隣合う床化粧材同士を相互に連結する。なお、このような床化粧材Ｆの敷設において、各床化粧材Ｆ・・Ｆの配置は、全ての床化粧材Ｆの連結を終えた状態で、その外周縁に雄連結部（図示せず）が沿うような配置とする。
【００２４】
次に、床化粧材Ｆ・・Ｆを配置した周囲に、係止片付きの床化粧材Ｆ1 ・・Ｆ1 を敷設する。
【００２５】
その床化粧材Ｆ1 の敷設は、図４に示すような敷設構造を想定して、複数本の鉄パイプ（最大で長さ１．８ｍ程度のもの）６・・６を用意し、その各鉄パイプ６の長さに対応する個数（最大で６ユニット程度）ごとに床化粧材Ｆ1 ・・Ｆ1 を連結し、それら床化粧材Ｆ1 ・・Ｆ1 を裏返しにした状態で、雄連結部４側の係止片５と脚１ａとの間の空間に鉄パイプ６を通して、床化粧材Ｆ1 を所定個数ごとに一体化するとともに、その鉄パイプ６にワイヤーＷの一端を括り付けておく（図５参照）。次いで、鉄パイプ６によって一体化した床化粧材Ｆ1 を、それぞれ、先に敷設した床化粧材Ｆ・・Ｆの周囲に雄連結部４が外側となるように配置し、各床化粧材Ｆ1 の雌連結部３を、その内方の床化粧材Ｆの雄連結部（図示せず）に嵌め込んで連結するとともに、各鉄パイプ６の端に位置する床化粧材Ｆ1 で互いに横に並ぶもの同士を連結する、という手順で行う。
【００２６】
そして、以上の床化粧材Ｆ1 ・・Ｆ1 の敷設が完了した後、図６に示すように、各鉄パイプ６に一端部を括り付けたワイヤーＷの他端部を、バルコニーの手すり支柱Ｐに括り付けることによって、各鉄パイプ６を支柱Ｐに固定して床化粧材の全体の捲れ上がりを防止する。
【００２７】
なお、以上の実施の形態では、係止片５を床材本体１の４隅に設けているが、その位置は特に限定されず、例えば図７示すように、床材本体１の中央付近であってもよいし、あるいは床材本体１の各辺の端縁部であってもよい。
【００２８】
ここで、上記床化粧材において、係止片としては、図３に示した構造のほか、例えば図８に示すように、Ｌ字状の２本の係止片１５を対向配置するという構造を採用してもよく、この場合、図９に示すように、鉄パイプ６を床材本体１の裏面側から嵌め込むことができるので、敷設時の作業性が良くなる。またこのようなＬ字状の係止片１５を設ける場合、図１０に示すように、係止片１５の床材本体１裏面からの突出高さを、脚１ａの高さと同じにすれば、係止片１５を脚との兼用部材とすることもできる。
【００２９】
また、他の構造として、図１１（Ａ），（Ｂ）に示すように、一対の係止片２５を互い違いに配置する構造、あるいは図１２（Ａ），（Ｂ）に示すように、係止片３５を１本とし、その係止部３５ａを鉄パイプ６の外径に合わせたアール形状とする構造、さらに、図１３に示すように、床材本体１に対して斜め方向に延びる１本の係止片４５を設け、この係止片と脚１ａ及び床材本体１の裏面との間に鉄パイプ６を通す構造などが挙げられる。
【００３０】
ここで、本発明は、簀の子状に成形した樹脂製床化粧材のほか、例えば図１４に示すような、樹脂製の床材本体（３０ｃｍ角）２１の上面に短冊状の表面材樹脂製２２・・２２を一体成形した床化粧材、また図１５に示すような、樹脂製の床材本体（３０ｃｍ角）３１の上面に正方形の樹脂製表面材（略１０ｃｍ角）３１・・３１を一体形成した構造の床化粧材、さらに、木質、レンガ、磁器タイル等の他の表面材を床材本体に係止固定または接着固定した構造の床化粧材などの各種の床化粧材に適用できる。
【００３１】
また、図１６は本発明の床化粧材の実施の形態を示す側面図（Ａ）及び底面図（Ｂ）である。
【００３２】
図１６に示す床化粧材Ｆ2 は、先の実施の形態と同様に簀の子状の床材本体１の裏面側に複数本の脚１ａ・・１ａが一体形成された構造で、各辺の端縁部に雌連結部３と雄連結部４が設けられている。
【００３３】
さて、この実施の形態では、床材本体１の裏面側で各辺の端縁部（各２箇所）に、それぞれ連結板１０５を一体成形したところに特徴がある。この連結板１０５の中央部には、鉄パイプ６（φ８ｍｍ〜φ１０ｍｍ程度）を通すための円形の孔１０５ａが形成されている。
【００３４】
以上の構造の床化粧材Ｆ2 を用いた敷設構造は、先の実施の形態（図４及び図５）と同様に、連結板のない床化粧材Ｆ・・Ｆを、バルコニー等の下地床面上に敷設し、次いで、連結板１０５を設けた床化粧材Ｆ2 ・・Ｆ2 を鉄パイプ６の長さに対応する個数ごとに連結し、それら床化粧材Ｆ2 ・・Ｆ2 を裏返しにした状態で、雄連結部４側の連結板１０５の孔１０５ａに鉄パイプ６を通して一体化するとともに、ワイヤーＷの一端を括り付けておく（図５参照）。
【００３５】
そして、鉄パイプ６によって一体化した床化粧材Ｆ2 を、それぞれ、先に敷設した床化粧材Ｆ・・Ｆの周囲に雄連結部４が外側となるように配置し、各床化粧材Ｆ2 の雌連結部３を、その内方の床化粧材Ｆの雄連結部（図示せず）に嵌め込んで連結するとともに、各鉄パイプ６の端に位置する床化粧材Ｆ2 で互いに横に並ぶもの同士を連結した後、図６に示したように、各鉄パイプ６に一端部を括り付けたワイヤーＷの他端部を、バルコニーの手すり支柱Ｐに括り付けることによって、各鉄パイプ６を支柱Ｐに固定止する。
【００３６】
なお、図１６に示す実施の形態では、連結板１０５を床材本体１の端縁部に設けているが、その位置は特に限定されず、例えば図１７（Ａ），（Ｂ）に示すように、床材本体１の内側に入り込んだ位置にも連結板１０５を設けておいてもよい。
【００３７】
また、連結板の孔の寸法（内径等）は、鉄パイプ等の通し部材に対して０．５ｍｍ〜１．０ｍｍ程度の余裕のある寸法が好ましいが、通し部材を差し込むことができるのであれば、その寸法は特に制限されない。
【００３８】
ここで、上記発明において、連結板１０５に設ける孔の形状は、特に限定されず、図１７に示したような円形の孔１０５ａほか、図１８（Ａ），（Ｂ）または（Ｃ）に示すような、矩形の孔１０５ｈ、三角形の孔１０５ｉまたは十字形の孔１０５ｊであってよいし、あるいは同図（Ｄ）に示すような切欠き孔１０５ｋであってもよい。
【００３９】
また、本発明は、簀の子状に成形した樹脂製床化粧材のほか、例えば図１４に示すような、樹脂製の床材本体（３０ｃｍ角）２１の上面に短冊状の表面材樹脂製２２・・２２を一体成形した床化粧材、あるいは図１５に示すような、樹脂製の床材本体（３０ｃｍ角）３１の上面に正方形の樹脂製表面材（略１０ｃｍ角）３１・・３１を一体形成した構造の床化粧材、さらに、木質、レンガ、磁器タイル等の他の表面材を床材本体に係止固定または接着固定した構造の床化粧材などの各種の床化粧材に適用できる。
【００４０】
また、図１９は本記載の発明の床化粧材の実施の形態を示す側面図（Ａ）及び底面図（Ｂ）である。
【００４１】
図１９に示す床化粧材Ｆ3 は、先の実施の形態と同様に、簀の子状の床材本体１の裏面側に複数本の脚１ａ・・１ａが一体形成された構造で、各辺の端縁部に雌連結部３と雄連結部４が設けられている。
【００４２】
さて、この実施の形態では、床材本体１の裏面側で各辺の端縁部（各２箇所）に、それぞれ、鉄パイプ６（φ８ｍｍ〜φ１０ｍｍ程度）を嵌め込むこと可能な構造の連結部材２０５を一体成形したところに特徴がある。
【００４３】
この連結部材２０５は嵌め込み部２０５ａが、下端部に開口をもつ円形リング状となっており、その嵌め込み部２０５ａが脚１ａと脚１ａとの間に位置している。
【００４４】
以上の構造の床化粧材Ｆ3 を用いた敷設構造は、先の実施の形態（図４及び図５）と同様に、連結部材のない床化粧材Ｆ・・Ｆを、バルコニー等の下地床面上に敷設し、次いで、連結部材２０５を設けた床化粧材Ｆ3 ・・Ｆ3 を鉄パイプ６の長さに対応する個数ごとに連結し、それら床化粧材Ｆ3 ・・Ｆ3 を裏返しにした状態で、雄連結部４側の連結部材２０５に鉄パイプ６を、床材本体１の裏面側から嵌め込んで一体化するとともに、その鉄パイプ６にワイヤーＷの一端を括り付けておく（図５参照）。
【００４５】
そして、鉄パイプ６によって一体化した床化粧材Ｆ3 を、それぞれ、先に敷設した床化粧材Ｆ・・Ｆの周囲に雄連結部４が外側となるように配置し、各床化粧材Ｆ2 の雌連結部３を、その内方の床化粧材Ｆの雄連結部（図示せず）に嵌め込んで連結するとともに、各鉄パイプ６の端に位置する床化粧材Ｆ3 で互いに横に並ぶもの同士を連結した後、図６に示したように、各鉄パイプ６に一端部を括り付けたワイヤーＷの他端部を、バルコニーの手すり支柱Ｐに括り付けることによって、各鉄パイプ６を支柱Ｐに固定止する。
【００４６】
なお、図１９に示す実施の形態では、連結部材２０５を床材本体１の端縁部に設けているが、その位置は特に限定されず、床材本体１の内側に入り込んだ位置であってもよい。
【００４７】
ここで、上記発明において、床材本体１の裏面側に設ける連結部材は、特に限定されず、図１９に示したような構造のほか、例えば図２０（Ａ）に示すような係止爪２１５ｂをもつ連結部材２１５、あるいは同図（Ｂ）に示すように、矩形の通し部材１６を嵌め込む構造の連結部材２２５であってもよい。また、図２０（Ｃ），（Ｄ）に示すように、通し部材６，１６を横方向から嵌め込む構造の連結部材２３５，２４５、あるいは同図（Ｅ）〜（Ｇ）に示すように通し部材を差し込むことが可能な円形の孔２５５ａ、矩形の孔２６５ａまたは十字形の孔２７５ａをもつ連結部材２５５，２６５または２７５であってもよい。
【００４８】
なお、本発明は、簀の子状に成形した樹脂製床化粧材のほか、例えば図１４に示すような、樹脂製の床材本体（３０ｃｍ角）２１の上面に短冊状の表面材樹脂製２２・・２２を一体成形した床化粧材、あるいは図１５に示すような、樹脂製の床材本体（３０ｃｍ角）３１の上面に正方形の樹脂製表面材（略１０ｃｍ角）３１・・３１を一体形成した構造の床化粧材、さらに、木質、レンガ、磁器タイル等の他の表面材を床材本体に係止固定または接着固定した構造の床化粧材などの各種の床化粧材に適用できる。
【００４９】
また、図２１は本発明の床化粧材の実施の形態を示す平面図、図２２はその実施の形態の側面図（Ａ）及び底面図（Ｂ）である。
【００５０】
図２１及び図２２に示す床化粧材Ｆ4 は、硬質合成樹脂を正方形状（３０ｃｍ角）に成形した床材本体１１と、この上面に一体形成された正方形の樹脂製表面材（略１０ｃｍ角）１２・・１２によって構成されており、その床材本体１１の裏面には、被敷設面との間に排水空間を形成するための脚１１ａ・・１１ａが一体形成されている。
【００５１】
床材本体１１には、表面材１２と１２との間の目地部分に、床化粧材の表面にたまる雨水等を裏面側に排水するための複数の排水孔１１ｂ・・１１ｂが設けられている。また、床材本体１１には、互いに隣合う２辺の端縁部にそれぞれ連結孔１３ａを有する複数個の雌連結部１３・・１３が一定のピッチで設けられている。その各対辺側には雄連結部１４・・１４が、それぞれ雌連結部１３・・１３に対応する位置関係で設けられており、これら雄・雌連結部を利用して複数のユニット（床化粧材）を相互に連結することができる。
【００５２】
さて、この実施の形態では、床材本体１１の雄連結部４側に位置する排水孔１１ｂに、連結部材３０５を取り付けたところに特徴がある。
【００５３】
この連結部材３０５は、図２３及び図２４に示すように、鉄パイプ６（φ８ｍｍ〜φ１０ｍｍ程度）を差し込むことが可能な大きさの嵌め込み部３０５ａと、支持片３０５ｂが一体形成された形状で、その嵌め込み部３０５ａを床材本体１１の排水孔１１ｂに差し込んで、支持部３０５ｂを表面材１２と１２との間の目地部分に係止することによって床材本体１１に対して取り付けられ、その取付状態で、嵌め込み部３０５ａが脚１１ａと脚１１ａとの間に位置するように構成されている。
【００５４】
以上の構造の床化粧材Ｆ4 を用いた敷設構造は、先の実施の形態（図４及び図５）と同様に、連結部材のない床化粧材Ｆ・・Ｆを、バルコニー等の下地床面上に敷設し、次いで、連結部材３０５を設けた床化粧材Ｆ4 ・・Ｆ4 を鉄パイプ６の長さに対応する個数ごとに連結し、それら床化粧材Ｆ4 ・・Ｆ4 を裏返しにした状態で、雄連結部４側の連結部材３０５に鉄パイプ６を通して一体化するとともに、その鉄パイプ６にワイヤーＷの一端を括り付けておく（図５参照）。
【００５５】
そして、鉄パイプ６によって一体化した床化粧材Ｆ4 を、それぞれ、先に敷設した床化粧材Ｆ・・Ｆの周囲に雄連結部４が外側となるように配置し、各床化粧材Ｆ2 の雌連結部３を、その内方の床化粧材Ｆの雄連結部（図示せず）に嵌め込んで連結するとともに、各鉄パイプ６の端に位置する床化粧材Ｆ4 で互いに横に並ぶもの同士を連結した後、図２５に示すように、各鉄パイプ６に一端部を括り付けたワイヤーＷの他端部を、バルコニーの手すり支柱Ｐに括り付けることによって、各鉄パイプ６を支柱Ｐに固定止する。
【００５６】
なお、以上の実施の形態では、床材本体１１の上面に正方形の表面材１２を一体成形した床化粧材に、本発明を適用した例を示しているが、これに限られることなく、例えば図２６に示すように、床材本体１を簀の子状に成形した床化粧材にも適用できる。この場合、図２７に示すように、簀の子の孔１ｃを利用して、連結部材３０５の嵌め込み部３０５ａを床材裏面側の脚１ａと脚１ａとの間に配置することができる。
【００５７】
また、本発明において、床材本体１１に取り付ける連結部材は特に限定されず、図２３に示したような形状のほか、例えば図２８（Ａ），（Ｂ）に示すように、矩形の孔３１５ａ、十字形の孔３２５ａをもつ連結部材３１５，３２５であってよいし、あるいは同図２７（Ｃ）〜（Ｆ）に示すように、円形通し部材６または矩形の通し部材１６を、下方または横方向から嵌め込むことが可能な構造の連結部材３３５，３４５，３５５または３６５であってもよい。
【００５８】
ここで、以上の各実施の形態では、鉄パイプ６をバルコニーの手すり支柱Ｐに固定しているが、これに代えて、例えば図２９に示すように、Ｌ字の部材（一辺３０ｍｍ程度）７をバルコニー周囲の壁に、接着剤、両面テープまたはねじ止め等によって取り付け、このＬ字の部材７にワイヤーＷを括り付けるという施工を行って、床化粧材の捲れ上がりを防止してもよい。
【００５９】
以上の各実施の形態では、鉄パイプ６を用いた敷設構造の例を示しているが、これに代えて、例えばワイヤーを床化粧材Ｆ1,Ｆ2,Ｆ3 またはＦ4 の脚間に通して床化粧材の捲れ上がりを防止するという施工法を採用してもよい。この場合、床化粧材の脚間に通したワイヤーの長さに余裕を持たせ、その両端部を直に支柱Ｐに括り付けるというような固定法を採ることもできる。
【００６０】
以上の各実施の形態では、構築する床の端の部分に床化粧材Ｆ1,Ｆ2,Ｆ3 またはＦ4 を配置しているが、本発明はこれに限られることなく、床の端から数えて２列目ないしは３列目以降の任意列に床化粧材Ｆ1,Ｆ2,Ｆ3 またはＦ4 を配置して、それらを鉄パイプ等の通し部材で一体化して固定するようにしてもよい。
【００６１】
以上の各実施の形態では、係止片（連結板または連結部材）のない床化粧材Ｆ・・Ｆを敷設し、その周囲にＦ1,Ｆ2,Ｆ3 またはＦ4 を配置するという形態を採っているが、本発明はこれに限られることなく、バルコニー等の下地床面に敷きつめる床化粧材の全てを、床化粧材Ｆ1,Ｆ2,Ｆ3 またはＦ4 として床を構築してもよい。
【００６２】
この場合、床の端の部分に位置する床材を鉄パイプ等の通し部材で一体化して固定するようにしてもよいし、床の端から数えて２列目ないしは３列目以降の任意列に並ぶ床化粧材Ｆ1,Ｆ2,Ｆ3 またはＦ4 を一体化・固定してもよい。さらに、配置した全ての床化粧材Ｆ1,Ｆ2,Ｆ3 またはＦ4 に鉄パイプ等の通し部材を通して、所定数ごとに一体化・固定するようにしてもよい。
【００６３】
ここで、本発明の敷設構造に、図１に示したような簀の子状の床化粧材Ｆ1 を用いる場合、その床化粧材Ｆ1 を目的とする形状に切断することが可能であるので、図２９に示すように、バルコニー周囲の壁と床化粧材Ｆとの間に簀の子状の床化粧材Ｆ1 を納め込むことができ、意匠性及び耐風圧などに優れた床を構築することが可能となる。
【００６４】
次に、図１６に示す床化粧材Ｆ2 を用いた敷設構造の更に別の実施形態を、以下、図３０〜図４１を参照しつつ説明する。
【００６５】
図３０〜図３２に示す実施の形態では、複数の床化粧材Ｆ2 を連結する通し部材として、鉄パイプ６１（φ６ｍｍ程度）の一端部に、床化粧材Ｆ2 の脚１ａ（３本）に引っ掛かるコ字形の屈曲部６１ａを設けたものを使用し、図３２に示すように、複数（例えば６ユニット）の床化粧材Ｆ2 ・・Ｆ2 の各連結板１０５（図１６参照）の孔１０５ａに鉄パイプ６１を通して、それら床化粧材Ｆ2 ・・Ｆ2 を相互に連結するとともに、その連結端部に位置する床化粧材Ｆ2 の脚１ａ（３本）に、鉄パイプ６１の屈曲部６１ａを引っ掛ける点に特徴があり、このような敷設構造を採用することにより、鉄パイプ６１の軸方向の位置が床化粧材Ｆ2 に対して固定されるので、鉄パイプ６１が、熱伸縮や風による影響で床化粧材Ｆ2 から外れることを防止できる。
【００６６】
図３３及び図３４に示す実施の形態では、複数の床化粧材Ｆ2 を連結する通し部材として、鉄パイプ６２（φ６ｍｍ程度）の一端を略直角（Ｌ字状）に折り曲げたものを使用し、図３４（Ａ），（Ｂ）に示すように、複数の床化粧材Ｆ2 ・・Ｆ2 の各連結板１０５の孔１０５ａに鉄パイプ６２を通して、それら床化粧材Ｆ2 ・・Ｆ2 を相互に連結するとともに、その連結端部に位置する床化粧材Ｆ2 の脚１ａ間に、鉄パイプ６２のＬ字部６２ａを差し込むことにより、床化粧材Ｆ2 に対する鉄パイプ６２の位置（軸方向）を固定するところに特徴があり、この実施の形態においても、鉄パイプ６２が床化粧材Ｆ2 から外れることを防止できる。なお、この実施の形態に用いる鉄パイプ６２のＬ字部６２ａの長さは５０〜６０ｍｍ程度が適当である。
【００６７】
図３５〜図３８に示す実施の形態では、複数の床化粧材Ｆ2 を連結する通し部材として、鉄パイプ６３（φ６ｍｍ程度）の外周面に、スリット溝６３ａ・・６３ａを一定のピッチで加工したものを用いるとともに、そのスリット溝６３ａに嵌まり込むリング部１６３ａを有するクリップ（例えばステンレス製）１６３を用意し、図３８に示すように、複数（例えば６ユニット）の床化粧材Ｆ2 ・・Ｆ2 の各連結板１０５（図１６参照）の孔１０５ａに鉄パイプ６３を通して、それら床化粧材Ｆ2 ・・Ｆ2 を相互に連結した後、鉄パイプ６３のスリット溝６３ａに、図３７に示す要領でクリップ１６３を取り付ける点に特徴がある。この実施の形態によれば、床化粧材Ｆ2 の熱伸縮や風による影響で、鉄パイプ６３の床化粧材Ｆ2 に対する位置（軸方向の位置）がずれても、クリップ１６３が脚１ａに当たって、鉄パイプ６３の動きが規制されるので、鉄パイプ６３が床化粧材Ｆ2 から外れることがなくなる。
【００６８】
図３９〜図４１に示す実施の形態では、複数枚の床化粧材Ｆ2 を連結する通し部材として、鉄パイプ６４（φ６ｍｍ程度）に、ピン孔６４ａ・・６４ａを一定のピッチで加工したものを用いるとともに、図４０（Ａ）または（Ｂ）に示す形状のクリップ（例えばステンレス製）１６４または２６４を用意し、先の図３８と同様にして、床化粧材Ｆ2 ・・Ｆ2 の連結を行った後、鉄パイプ６４のピン孔６４ａに、図４１に示す要領でクリップ１６４（またはクリップ２６４）を差し込むところに特徴があり、この実施の形態においても、鉄パイプ６４の動きが脚１ａによって規制されるので、鉄パイプ６４が床化粧材Ｆ2 から外れることがなくなる。
【００６９】
以上の図３０〜図４１に示したような敷設構造は、床化粧材として、図１または図１９に示した床化粧材Ｆ1 またはＦ3 などを敷設する場合にも適用することができる。
【００７０】
ここで、図１６に示す床化粧材Ｆ2 を用いる場合、鉄パイプ等の通し部材を使用せずに、図４２（Ａ），（Ｂ）に示すようなフック付きワイヤーＷ1,Ｗ2 を用い、フック（例えばステンレス製）７１，７２を、床化粧材Ｆ2 の連結板１０５の孔１０５ａ（図１６参照）に引っ掛け、ワイヤーＷ1,Ｗ2 の他端を手すりの支柱等に固定する、というような敷設構造も採ることができる。また、このようにフックによって床化粧材を固定する場合、図４３（Ａ）に示すようなスナップフック７３、あるいは同図（Ｂ）に示すようなカラビナフック７４を、ワイヤーＷの一端にかしめ具Ｊを用いて取り付けたものを用いてもよい。
【００７１】
また、本発明の床化粧材の敷設構造において、鉄パイプ６等の通し部材をワイヤーＷを介して手すりの支柱Ｐ等に固定する場合、ワイヤーＷの鉄パイプ６・支柱Ｐへの止め方としては、ワイヤーＷを鉄パイプ６・支柱Ｐに単に括り付けるという方法のほか、例えば図４４〜図４６に示すような止め具８１〜８３を用いて、図４７に示すような要領でワイヤーＷの両端を、それぞれ鉄パイプ６と手すりの支柱Ｐに止めるという方法も挙げられる。
【００７２】
図４４に示す止め具８１は、スリーブ形状の止め具本体１８１に、貫通ねじ孔１８１ｂを加工したもので、止め具本体１８１の貫通孔１８１ａにワイヤーＷを通し、そのワイヤーＷを鉄パイプ６または手すりの支柱Ｐに巻き掛けた後、ワイヤーＷの先端を、止め具本体１８１の貫通孔１８１ａに、先とは逆の方向から通し、この状態で、止め具本体１８１の貫通ねじ孔１８１ｂに止めねじ２８１をねじ込んでワイヤーＷを固定する構造となっている。
【００７３】
図４５に示す止め具８２は、六角ボルト１８２にワイヤー挿通用の貫通孔１８２ａを加工し、この貫通孔１８２ａに、ワイヤーＷを先と同じ要領で差し込んだ状態で、六角ナット２８２を六角ボルト１８２にねじ込むことにより、ワイヤーＷを固定する構造となっており、また、図４６に示す止め具８３は、六角ボルト１８３に、ねじ中心を通るスリット溝１８３ａを加工し、このスリット溝１８３ａにワイヤーＷを嵌め込んだ状態で、六角ナット２８３をねじ込むことによりワイヤーＷを固定する構造となっている。なお、図４６に示す止め具８３は、ワイヤーＷを手すりの支柱Ｐ等に巻き掛けた状態で、ワイヤーＷの連結部（ワイヤー先端部とワイヤーの途中）を、六角ボルト１８３のスリット溝１８３ａに同時に嵌め込むことができるので、他の例のもの比べて、作業性が良いという利点がある。
【００７４】
なお、以上の図４４〜図４６に示した止め具８１〜８３の材質は、金属が好ましく、ステンレスがより好ましい。
【００７５】
また、以上のような止め具に代えて、一般的なかしめ具、例えばアルミニウム等で製作されたリングをペンチ等で潰して固定する構造のものを用いてもよいが、図４４〜図４６の止め具８１〜８３を用いる方が、十分な強度を確保でき、しかも作業者による力のばらつきが無くて、ワイヤーを確実に止めることができるという利点があるので、より好ましい。
【００７６】
【発明の効果】
以上説明したように、本発明によれば、バルコニー等に構築する床の少なくとも一部分（例えば床の端の部分）に配置する床化粧材の裏面側の脚と脚との間に鉄パイプ等の通し部材を通して、それら床化粧材を連結するとともに、その通し部材を、手すりの支柱等の構造物にワイヤー等を介して固定するので、床化粧材の下面側に風が入り込んでも、床化粧材が捲れ上がることを防止でき、安全な敷設状態を実現できる。これにより、風の影響を受けやすい場所、例えば、格子手すり等の風の侵入の虞れのある手すりが装着されたバルコニー、戸建住宅の屋上階、マンションの高層階、ビルの屋上、あるいは屋外テニスコートや屋外プールサイド等への床化粧材の敷設が可能となる等、床化粧材の敷設場所の範囲が拡大される。
【図面の簡単な説明】
【図１】本発明の実施の形態の平面図
【図２】図１に示す床化粧材の側面図（Ａ）及び裏面図（Ｂ）
【図３】図１に示す床化粧材の要部構造を示す斜視図
【図４】図１に示す床化粧材を用いた敷設構造を模式的に示す図
【図５】同じく敷設構造を模式的に示す図
【図６】同じく敷設構造を模式的に示す図
【図７】本発明の他の実施の形態の側面図（Ａ）及び裏面図（Ｂ）
【図８】本発明の床化粧材に設ける係止片の一例を示す図
【図９】同じく係止片の一例を示す図
【図１０】図８に示す係止片の変形例を示す図
【図１１】本発明の床化粧材に設ける係止片の他の例を示す図
【図１２】本発明の床化粧材に設ける係止片の別の例を示す図
【図１３】本発明の床化粧材に設ける係止片の更に別の例を示す図
【図１４】本発明を適用する床化粧材の他の例を示す平面図
【図１５】本発明を適用する床化粧材の更に別の例を示す平面図
【図１６】本発明の実施の形態の側面図（Ａ）及び裏面図（Ｂ）
【図１７】本発明の他の実施の形態の側面図（Ａ）及び裏面図（Ｂ）
【図１８】本発明の床化粧材に設ける連結板の変形例を示す図
【図１９】本発明の実施の形態の側面図（Ａ）及び裏面図（Ｂ）
【図２０】本発明の床化粧材に設ける連結部材の変形例を示す図
【図２１】本発明の実施の形態の正面図
【図２２】図２１に示す床化粧材の裏面図
【図２３】図２１に示す床化粧材の要部構造を示す斜視図
【図２４】同じく床化粧材の要部構造を示す模式図
【図２５】図２１に示す床化粧材を用いた敷設構造を模式的に示す図
【図２６】本発明の他の実施の形態を敷設状態で示す図
【図２７】図２６に示す床化粧材の要部構造を示す図
【図２８】本発明の床化粧材に用いる連結部材の変形例を示す図
【図２９】本発明の敷設構造の他の例を示す図
【図３０】本発明の敷設構造に用いる鉄パイプ（通し部材）の変形例を示す図
【図３１】同じく鉄パイプの変形例を示す図
【図３２】図１６に示す床化粧材を用いた敷設構造の更に別の実施形態の説明図
【図３３】本発明の敷設構造に用いる鉄パイプ（通し部材）の変形例を示す図
【図３４】図１６に示す床化粧材を用いた敷設構造の更に別の実施形態の説明図
【図３５】本発明の敷設構造に用いる鉄パイプ（通し部材）の変形例を示す図
【図３６】図３５に示す鉄パイプに取り付けるクリップの模式的斜視図
【図３７】図３６に示すクリップを使用状態で示す模式的斜視図
【図３８】図１６に示す床化粧材を用いた敷設構造の更に別の実施形態の説明図
【図３９】本発明の敷設構造に用いる鉄パイプ（通し部材）の変形例を示す図
【図４０】図３９に示す鉄パイプに取り付けるクリップの模式的斜視図
【図４１】図４０に示すクリップを使用状態で示す模式的斜視図
【図４２】フック付きワイヤの例を模式的に示す斜視図
【図４３】ワイヤに取り付けるフックの例を模式的に示す斜視図
【図４４】ワイヤの止めに用いる止め具の例を模式的に示す斜視図
【図４５】同じく止め具の例を模式的に示す斜視図
【図４６】同じく止め具の例を模式的に示す斜視図
【図４７】ワイヤの鉄パイプ・支柱への止め方の例を模式的に示す図
【図４８】床化粧材をバルコニーに敷設した際の問題点を説明する図
【符号の説明】
Ｆ1 〜Ｆ4 床化粧材
１，１１ 床材本体
１ａ，１１ａ 脚
１ｂ，１１ｂ 排水孔
１２ 表面材
３，１３ 雌連結部
４，１４ 雄連結部
５ 係止片
１０５ 連結板
１０５ａ 孔
２０５，３０５ 連結部材
６，６１，６２，６３，６４ 鉄パイプ
【図１】
0003947314.tif 000002
【図２】
0003947314.tif 000003
【図３】
0003947314.tif 000004
【図４】
0003947314.tif 000005
【図５】
0003947314.tif 000006
【図６】
0003947314.tif 000007
【図７】
0003947314.tif 000008
【図８】
0003947314.tif 000009
【図９】
0003947314.tif 000010
【図１０】
0003947314.tif 000011
【図１１】
0003947314.tif 000012
【図１２】
0003947314.tif 000013
【図１３】
0003947314.tif 000014
【図１４】
0003947314.tif 000015
【図１５】
0003947314.tif 000016
【図１６】
0003947314.tif 000017
【図１７】
0003947314.tif 000018
【図１８】
0003947314.tif 000019
【図１９】
0003947314.tif 000020
【図２０】
0003947314.tif 000021
【図２１】
0003947314.tif 000022
【図２２】
0003947314.tif 000023
【図２３】
0003947314.tif 000024
【図２４】
0003947314.tif 000025
【図２５】
0003947314.tif 000026
【図２６】
0003947314.tif 000027
【図２７】
0003947314.tif 000028
【図２８】
0003947314.tif 000029
【図２９】
0003947314.tif 000030
【図３０】
0003947314.tif 000031
【図３１】
0003947314.tif 000032
【図３２】
0003947314.tif 000033
【図３３】
0003947314.tif 000034
【図３４】
0003947314.tif 000035
【図３５】
0003947314.tif 000036
【図３６】
0003947314.tif 000037
【図３７】
0003947314.tif 000038
【図３８】
0003947314.tif 000039
【図３９】
0003947314.tif 000040
【図４０】
0003947314.tif 000041
【図４１】
0003947314.tif 000042
【図４２】
0003947314.tif 000043
【図４３】
0003947314.tif 000044
【図４４】
0003947314.tif 000045
【図４５】
0003947314.tif 000046
【図４６】
0003947314.tif 000047
【図４７】
0003947314.tif 000048
【図４８】
0003947314.tif 000049